(57)【要約】【課題】従来の拘束土構造物は、資材の組立てや現地での中詰材転圧が必要であり、作業員の高所での作業時間が長くなる。現地施工箇所が曲線半径が小さい個所では、適用できない。又、施工手順が複雑であるため、施工に時間を要する等の課題がある。【解決手段】積層体を構築し擁壁とする部材は、円筒形の袋体を耐劣化性の素材で作成し、内側に内部に詰める中詰材の流出防止用に吸出防止材を備える。中詰材については、現地にある土砂等を利用し、あらかじめ締固めを行い擁壁の部材とする。法面を保護するために、表面に設置する部材については、種子の入った吸出防止材を設置し、植生による法面保護及び緑化を行う。各部材を連結ベルトで連結し積層体を構築し、擁壁構造体とする。【選択図】図１
2019196691.tif 000002
【特許請求の範囲】
【請求項１】
内部に中詰材を充填する筒状の袋体が、壁面に複数設置された擁壁構造体であって、前記袋体は少なくとも２本の連結ベルトが設けられており、隣り合う袋体から延びる前記連結ベルトを固定するための連結具が設けられており、前記連結ベルトは、前記袋体の底面に一端が固定されており、他端は隣り合う袋体の側面に設置される前記連結具に固定されることを特徴とする擁壁構造体。
【請求項２】
内部に中詰材を充填する筒状の袋体が、壁面に複数設置された擁壁構造体であって、前記袋体は少なくとも２本の連結ベルトが設けられており、隣り合う袋体から延びる前記連結ベルトを固定するための連結具が設けられており、前記連結ベルトは、前記袋体の側面に一端が固定されており、他端は袋体の底面を通り、隣り合う袋体の側面に設置される前記連結具に固定されていることを特徴とする擁壁構造体。
【請求項３】
前記連結具は、前記袋体を吊り下げ可能とする取手部材に取り付けられていることを特徴とする請求項１又は2記載の擁壁構造体。
【請求項４】
前記袋体には、上側に配置される袋体と連結するために、袋体を吊り下げ可能とする取手部材に上部連結ベルトが固定されており、他端は上側袋体の側面に設置される前記連結具に固定されている事を特徴とする請求項３記載の擁壁構造体。
【発明の詳細な説明】
【技術分野】
【０００１】
本発明は、土木構造物の擁壁に関するものである。
【背景技術】
【０００２】
特許文献１に開示されているように、多段的に積層し構築する拘束土構造物は、壁面側を硬質の壁面材で被覆し、中詰材を壁面材の背面側に接続した補強シートの上に巻き出し、補強シートの巻き返し端を中詰材の上面にまき込み、巻き返し端部をその上の段の補強シートに接続して、中詰材を袋状に包み込むものとなっている。
【先行技術文献】
【特許文献】
【０００３】
【特許文献１】特許第４０５４３０４
【発明の概要】
【発明が解決しようとする課題】
【０００４】
前記先行文献の拘束土構造物には、次のような課題がある。
〈１〉各部材の組立てや設置個所での中詰材転圧が必要であり、作業員の高所での作業時間が長くなる。
〈2〉曲線半径の小さい施工箇所では、資材形状が決まっているため適用出来ない。
〈3〉各部材の資材が多く、施工手順が複雑であるため施工に時間を要する。
【課題を解決するための手段】
【０００５】
この課題を解決するために請求項１の発明は、内部に中詰材を充填する筒状の袋体が、壁面に複数設置された擁壁構造体であって、前記袋体は少なくとも２本の連結ベルトが設けられており、隣り合う袋体から延びる前記連結ベルトを固定するための連結具が設けられており、前記連結ベルトは、前記袋体の底面に一端が固定されており、他端は隣り合う袋体の側面に設置される前記連結具に固定されることを特徴とする。
【０００６】
請求項２の発明は、内部に中詰材を充填する筒状の袋体が、壁面に複数設置された擁壁構造体であって、前記袋体は少なくとも２本の連結ベルトが設けられており、隣り合う袋体から延びる前記連結ベルトを固定するための連結具が設けられており、前記連結ベルトは、前記袋体の側面に一端が固定されており、他端は袋体の底面を通り、隣り合う袋体の側面に設置される前記連結具に固定されていることを特徴とする。
【０００７】
請求項３の発明は、前記連結具が、前記袋体を吊り下げ可能とする取手部材に取り付けられていることを特徴とする。
【０００８】
請求項４の発明は、前記袋体には、上側に配置される袋体と連結するために、袋体を吊り下げ可能とする取手部材に上部連結ベルトが固定されており、他端は上側袋体の側面に設置される前記連結具に固定されている事を特徴とする。
【発明の効果】
【０００９】
本発明によれば次の効果を得ることができる。
〈１〉袋体は安全な場所で土砂等を充填，転圧し、設置個所にて連結ベルトと連結具を使用し連結するため、作業が容易であり、高所作業時間及び施工時間を極力短縮する事が出来る。
〈２〉連結ベルトは、袋体底面の取手部材が交差した箇所又は、袋体側面の取手部材に一端が固定されているため、背後袋体からの連結ベルトと交差する事を防止し、他端は隣り合う袋体の底面を通し、側面に設置される連結具に固定されることで、摩擦力も加わり連結強度が高くなる。又、安全な体制で連結作業をする事が出来る。
〈３〉連結具は、袋体を吊り下げ可能とする取手部材に取り付けられているため、連結強度が高くなる。
〈４〉最背面の袋体は、上側に配置される袋体と連結するために、袋体を吊り下げ可能とする取手部材に上部連結ベルトが固定されているため、連結強度が高くなる。又、積層体を上下で連結するため一体の擁壁構造体とする事ができる。
【図面の簡単な説明】
【００１０】
【図１】連結ベルトを有した袋体の斜視図
【図２】（ａ）袋体底面からの連結ベルトで前後の袋体を連結した斜視図、（ｂ）袋体側面からの連結ベルトで前後の袋体を連結した斜視図
【図３】擁壁構造体の最背面で上下の袋体を連結した斜視図
【図４】連結具取付けベルトに連結具を取付け、連結ベルトで連結した詳細図
【図５】図４の側面図
【図６】盛土部の袋体連結時の断面図
【図７】切土部の袋体連結時の断面図
【図８】（ａ）袋体底面からの連結ベルトにより袋体を連結した時の平面図、（ｂ）袋体側面からの連結ベルトにより袋体を連結した時の平面図
【図９】袋体の中詰材転圧機の斜視図
【図１０】従来技術の断面図
【発明を実施するための形態】
【００１１】
以下図面を参照し、本発明について説明する。
〈１〉擁壁構造体の概要（図１,図２,図３）
積層体を構築し擁壁とする部材であり、筒状の袋体３に運搬用の吊りベルト１と連結用に連結ベルト２，上部連結ベルト６及び連結具４を備える。図２に示すように、連結ベルト２と連結具４を使用し、前後の部材を連結し積層体を構築する。最背面に配置する袋体については、図３に示すように、下段の上部連結ベルト６と上段の連結具４を使用し連結を行う。中詰材９の流出防止のために、袋体３の内側に吸出防止材８を備える。中詰材９はあらかじめ締固めを行い、圧密沈下による形状変更を極力防止する。法面前面に配置する部材については、植生による法面保護及び緑化のため種子の入った吸出防止材８を設置する。以降に主要な使用資材について説明する。
【００１２】
〈２〉袋体（図１）
袋体３は網状で有底筒状とし円筒形とするが、六角柱・四角柱等でも良い。縦糸と横糸を直交して編み非伸縮性の網状とする。上部に開口部を設け、網目に通し口縛りロープ７を取り付け、中詰材９を投入後、口縛りロープ７で開口部を閉じ吸出防止材８を介して中詰材９を拘束する。素材については耐劣化性の素材とし、ポリエチレン等の合成繊維とする。
【００１３】
〈３〉吊りベルト（図１）
吊りベルト１は、中詰材９を充填後、設置個所までの運搬用とし無端状とする。形状については、袋体３の側面に縦方向に取り付け底部で十字交差とする。上部は袋体３を開口出来る形状とし、袋体３に接触する部分については縫合する。素材については耐劣化性の素材とし、ポリエチレン等の合成繊維とする。
【００１４】
〈４〉連結ベルト（袋体底面固定）（図１,図２,図４,図５）
連結ベルト２は、端部２ａを吊りベルト１の袋体３底面で交差した箇所に縫合し、他端部２ｃは、斜め前方に配置した袋体の底面を通し、その袋体前面にある連結具４と結合可能な長さとする。連結具４の裏側から空洞部４ｃに通し、棒状部４ｄを巻き込み空洞部4eに通し引き出し連結する。素材については耐劣化性の素材とし、ポリエチレン等の合成繊維とする。
【００１５】
〈５〉連結ベルト（袋体側面固定）（図１,図２,図４,図５）
連結ベルト２は、端部２ｂを吊りベルト１の袋体３側面に縫合し袋体３の底面に通す。袋体３の底面で吊りベルト１と交差する箇所については、固定のため縫合しても良いが、縫合しなくてもよい。他端部２ｃは、斜め前方に配置した袋体の底面を通し、その袋体前面にある連結具４と結合可能な長さとする。連結具４の裏側から空洞部４ｃに通し、棒状部４ｄを巻き込み空洞部4eに通し引き出し連結する。素材については耐劣化性の素材とし、ポリエチレン等の合成繊維とする。
【００１６】
〈６〉連結具（図４,図５）
連結具４は、連結ベルト２又は、上部連結ベルト６と連結具取付ベルト５を繋ぐ部材であり、四角いフレームの中に2本の棒状部４ｂ,４ｄで構成されており、連結ベルト２又は、上部連結ベルト６と接触するフレーム部４ｆについては、摩擦が生じやすいように斜めに配置する。又、連結具４より連結ベルト２又は、上部連結ベルト６を解き易いよう下部に持手用の張り出しを設けた構造とする。素材については、耐劣化性の素材とし、ステンレスや鉄等に亜鉛メッキを塗装した金具が望ましい。
【００１７】
〈７〉連結具取付ベルト（図２,図３,図４,図５）
連結具取付ベルト５は、連結具４の裏側から空洞部4cに通し棒状部4bを巻き込み空洞部4aに通し上部に引出し、両端部を連結具４より上部で吊りベルト１に縫合する。素材については耐劣化性の素材とし、ポリエチレン等の合成繊維とする。
【００１８】
〈８〉上部連結ベルト（図３,図６,図７）
上部連結ベルト６は、端部６ａを吊りベルト１の連結具４のない裏面に縫合し、他端部６ｂを袋体上面と上側に配置する袋体底面との間に通し、上側袋体の連結具４と連結可能な長さとする。連結具４との連結については、連結ベルト２と同様とし、素材については耐劣化性の素材とし、ポリエチレン等の合成繊維とする。
【００１９】
〈９〉吸出防止材（図1）
吸出防止材８は、中詰材９を露出させずに包み込むことが出来る大きさとし、形状については制限はなく正方形や円筒形等であっても良い。法面前面に配置する部材については、種子を混入し植生による法面保護及び緑化を行う。素材については耐劣化性の素材とし、ポリエステル繊維等の不織布とする。
【００２０】
〈１０〉中詰材（図１）
中詰材９は、土砂や空隙率の大きい岩石、コンクリート殻等であっても良い。
【００２１】
〈１１〉砕石（図６,図７）
砕石１０は、擁壁構造体背面の水を集め、排水により背面の水圧を軽減する。
【００２２】
〈１２〉袋体の中詰材転圧機（図９）
袋体３に入れた中詰材９の締固めをするには、図９に示すような転圧機を用いると良い。
袋体保持部１２の下部に振動部１１を備え、袋体保持部１２の中に袋体３を入れ中詰材９を入れる。吊りベルト固定金具１３に吊りベルト１を取り付け袋体３を固定した後、口縛りロープ７で閉じ上部よりウエイト１４で載荷し、下部より振動を加え中詰材９の締固めを行う。
【００２３】
〈１３〉施工方法（図２,図３,図８）
中詰材９の転圧を完了した袋体を配置箇所の最背面に隣接して並べ、連結ベルト2を前方に延ばして配置する。最背面袋体の前方中間に別の袋体を隣接して並べ、手前の袋体連結具４と斜め後ろから延びている連結ベルト2を使用し連結を行う。同様に袋体を斜め前方に配置連結し、最下段の層を施工する。最下段の層が完了した後、上段の層を擁壁構造体の表法面勾配分背面側にずらし最背面の袋体を配置し、下段の上部連結ベルト６と上段の連結具４を使用し連結を行う。前方に配置する袋体については、最下段同様に施工を行う。同様に上段を施工し積層体を構築し、擁壁構造体とする。
【００２４】
上記構成により次の効果が得られる
〈１〉袋体は吊りベルトを備えているため、クレーン吊り下げにより運搬可能であり、工事用道路を作る必要がなく施工時間の短縮及び施工費用を縮小する事が出来る。
〈２〉中詰材の転圧と設置個所での組立て作業で、作業箇所が分かれるため、同時に作業する事により施工時間を短縮する事が出来る。
〈３〉袋体を網状とする事で透水性を確保し、吸出防止材で中詰材を包むため降雨等による中詰材の流出を防止する。又、表面に配置する袋体には、種子の入った吸出防止材を配置する事で、植生による法面保護及び緑化を可能とする事が出来る。
〈４〉単体の部材が大きくなく、曲線半径の小さい施工箇所でも、現地に合わせた設置が可能となる。
【産業上の利用可能性】
【００２５】
本発明に係る擁壁構造体は、工業的に量産する事が可能であるため、産業上の利用可能性を有する。
【符号の説明】
【００２６】
１．吊りベルト
２．連結ベルト
３．袋体
４．連結具
５．連結具取付ベルト
６．上部連結ベルト
７．口縛りロープ
８．吸出防止材
９．中詰材
１０．砕石
１１．振動部
１２．袋体保持部
１３．吊りベルト固定金具
１４．ウエイト
１５．ウエイト吊り金具
【図１】
2019196691.tif 000003
【図２】
2019196691.tif 000004
【図３】
2019196691.tif 000005
【図４】
2019196691.tif 000006
【図５】
2019196691.tif 000007
【図６】
2019196691.tif 000008
【図７】
2019196691.tif 000009
【図８】
2019196691.tif 000010
【図９】
2019196691.tif 000011
【図１０】
2019196691.tif 000012
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
内部に中詰材を充填する筒状の袋体が、壁面に複数設置された擁壁構造体であって、前記袋体は少なくとも２本の連結ベルトが設けられており、隣り合う袋体から延びる前記連結ベルトを固定するための連結具が設けられており、前記連結ベルトは、前記袋体の側面に一端が固定されており、他端は袋体の底面を通り、隣り合う袋体の側面に設置される前記連結具に固定されていることを特徴とする擁壁構造体。
【請求項２】
前記連結具は、前記袋体を吊り下げ可能とする取手部材に取り付けられていることを特徴とする請求項１記載の擁壁構造体。
【請求項３】
前記袋体には、上側に配置される袋体と連結するために、袋体を吊り下げ可能とする取手部材に上部連結ベルトが固定されており、他端は上側袋体の側面に設置される前記連結具に固定されている事を特徴とする請求項２記載の擁壁構造体。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
請求項１の発明は、内部に中詰材を充填する筒状の袋体が、壁面に複数設置された擁壁構造体であって、前記袋体は少なくとも２本の連結ベルトが設けられており、隣り合う袋体から延びる前記連結ベルトを固定するための連結具が設けられており、前記連結ベルトは、前記袋体の側面に一端が固定されており、他端は袋体の底面を通り、隣り合う袋体の側面に設置される前記連結具に固定されていることを特徴とする。
【手続補正４】
【補正対象書類名】明細書
【補正対象項目名】０００７
【補正方法】変更
【補正の内容】
【０００７】
請求項２の発明は、前記連結具が、前記袋体を吊り下げ可能とする取手部材に取り付けられていることを特徴とする。
【手続補正５】
【補正対象書類名】明細書
【補正対象項目名】０００８
【補正方法】変更
【補正の内容】
【０００８】
請求項３の発明は、前記袋体には、上側に配置される袋体と連結するために、袋体を吊り下げ可能とする取手部材に上部連結ベルトが固定されており、他端は上側袋体の側面に設置される前記連結具に固定されている事を特徴とする。